【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  第１の機器から放射されて第２の機器に直接到達する直接電磁波あるいは、反射や回折を経て間接的に当該第２の機器に到達する間接電磁波によって当該第２の機器の機能が擾乱される不要輻射を低減するシールド板であって、
前記第１の機器と前記第２の機器の間に当該第１および第２の機器が位置する共通平面上に第１の屈曲角度を成すとともに、当該共通平面に対して垂直な方向に第１の所定長と当該第１の所定長に対して垂直な方向に第２の所定長だけ延在して当該第１および第２の機器を結ぶ中心線に対して概ね垂直に交差するように設けられる前記直接電磁波を遮断する概ね四角形状のシールド板。
【請求項２】  前記本体部の上端部から当該本体部に対して第２の屈曲角度を成して第３の所定長だけ延在して、前記直接電磁波を阻止するとともに、前記間接電磁波の一部を遮断する天板部と、
前記本体部の側端部の少なくとも１方から、前記本体部に対して第３の屈曲角度をもって第４の所定長だけ延在して、前記直接電磁波を阻止するとともに、前記間接電磁波の一部を遮断する側板部とを備え、
前記本体部、天板部、および側板部を迂回して前記第２の機器に到達できる間接電磁波はその迂回した道程の二乗分だけ前記直接電磁波より減衰していることによって当該第２の機器に及ぼす不要輻射が無視できる程度に低減されていることを特徴とする請求項１に記載のシールド板。
【請求項３】  第１の屈曲角度は０°より大きく１８０°より小さく、第２の屈曲角度は０°以上かつ３６０°以下であり、そして第３の屈曲角度は０°以上かつ３６０°以下であり、第３の所定長は０以上の任意の長さであり、そして第４の所定長は０以上の任意の長さであることを特徴する請求項２に記載のシールド板。
【請求項４】  第１の屈曲角度は実質的に９０°であり、第２の屈曲角度は実質的に１８０°であり、そして第３の屈曲角度は実質的に１８０°であること
を特徴する請求項３に記載のシールド板。
【請求項５】  本体部の第１の所定長をＷｐとするとともに第２の所定長をＨｐとし、
第１の機器と第２の機器との間の距離をＬとし、第１の機器とシールド板との間の距離をＬｓとし、
第１の機器の共通平面および本体部に対して平行な横方向の大きさをＷｓとするとともに共通平面および横方向に対して垂直な縦方向の大きさをＨｓとし、
第２の機器の共通平面および本体部に対して平行な横方向の大きさをＷｒとするとともに共通平面および横方向に垂直な縦方向の大きさをＨｒとすると、ＨｐおよびＷｐは以下の関係式、
Ｈｐ＋Ｌｐｔ＝（（Ｈｒ−Ｈｓ）／Ｌ）×  Ｌｓ  ＋  Ｈｓ
Ｗｐ＋Ｌｐｓ＝（（Ｗｒ−Ｗｓ）／Ｌ）×  Ｌｓ  ＋  Ｗｓ／２
で表されることを特徴とする請求項４に記載のシールド板（Ｐ）。
【請求項６】  第１の屈曲角度は９０°以下であり、第２の屈曲角度は９０°以下であり、そして第３の屈曲角度は実質的に９０°であることを特徴する請求項３に記載のシールド板。
【請求項７】  本体部の第１の所定長をＷｐとするとともに第２の所定長をＨｐとし、
第１の機器と第２の機器との間の距離をＬとし、第１の機器とシールド板との間の距離をＬｓとし、
第１の機器の共通平面および本体部に対して平行な横方向の大きさをＷｓとするとともに共通平面および横方向に対して垂直な縦方向の大きさをＨｓとし、
第２の機器の共通平面および本体部に対して平行な横方向の大きさをＷｒとするとともに共通平面および横方向に垂直な縦方向の大きさをＨｒとすると、ＨｐおよびＷｐは以下の関係式、
Ｈｐ＝（（Ｈｒ−Ｈｓ）／Ｌ）×  Ｌｓ  ＋  Ｈｓ
Ｗｐ＝（（Ｗｒ−Ｗｓ）／Ｌ）×  Ｌｓ  ＋  Ｗｓ／２
で表されることを特徴とする請求項６に記載のシールド板。
【請求項８】  第１の屈曲角度は実質的に９０°であり、第２の屈曲角度は
実質的に９０°であり、そして第３の屈曲角度は実質的に１８０°であることを特徴とする請求項３に記載のシールド板。
【請求項９】  第１の屈曲角度は実質的に９０°であり、第２の屈曲角度は実質的に１８０°であり、そして第３の屈曲角度は実質的に９０°であることを特徴とする請求項３に記載のシールド板。
【請求項１０】  第３の所定長および第４の所定長は、間接電磁波が第２の機器の機能を擾乱させない程度に減衰されるだけ直接電磁波に比べてより長い道程を要するように天板部および側板部のそれぞれを迂回させるように決められることを特徴とする請求項３に記載のシールド板。
【請求項１１】  さらに、天板部の先端部から天板部に対して第４の屈曲角度をもって第４の所定長だけ延在して、間接電磁波の一部を阻止する対抗板部と、
側板部の側端部の少なくとも１方から、側板に対して第５の屈曲角度をもって第５の所定長だけ延在して、間接電磁波の一部を阻止する対抗側板部とを備える請求項３に記載のシールド板。
【請求項１２】  第１の屈曲角度は実質的に９０°であり、第２の屈曲角度は実質的に９０°であり、そして第３の屈曲角度は実質的に１８０°であり、第４の屈曲角度は０°以上３６０°以下であることを特徴とする請求項１１に記載のシールド板。
【請求項１３】  第１の屈曲角度は実質的に９０°であり、第２の屈曲角度は実質的に１８０°であり、そして第３の屈曲角度（γ）は実質的に９０°あり、第５の屈曲角度は０°以上３６０°以下であることを特徴とする請求項１１に記載のシールド板。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】